Podtech/llm-jp-corpus-v4-ja_patent huggingface dataset:
(57)【要約】【目的】従来、畑農具として古くから万能、三ッ鍬、スコップ等が愛用されてきた。しかし、これは労力としては大変で過酷なものであった。  例えば、小農園者が使用しているスコップで土を掘り起こすと、土が１０cm〜１５cmの大きな塊柱となり、再度鍬等で砕き細粒化しなければならない。  そこで、特殊なスコップで掘り起こせば細粒化する畑作用スコツプを提供する。【解決手段】  柄の上端に握り部を下端に畑を掘り起こす匙本から成る畑作用スコップにおいて、該匙体の背面には土を縦方向に切れ目を入れる刃体を複数個立設したスコップで畑を掘り起こすと、土が細かく砕けるのである。【選択図】    図１
0003134061.tif 000002
【実用新案登録請求の範囲】
【請求項１】
柄の上端に握り部を下端に畑を掘り起こす匙本から成るスコップにおいて、該匙体の背面には土を縦方向に切れ目を入れる刃体を複数個立設して成ることを特徴とした畑作用スコップ。
【請求項２】
請求項１記載の畑作用スコップにおいて、刃体の形状が先端から後方に傾斜する略三角形の形状をし、更に該刃体の面が切り抜かれていることを特徴とした畑作用スコップ。
【考案の詳細な説明】
【技術分野】
【０００１】
本考案は、畑を掘り起こす畑作用スコップに関するものである。
【背景技術】
【０００２】
畑を掘り起こす農具には、鍬やスコップ、又は大小の耕運機等があるが、本考案は畑作用スコップの匙体について言及する。
従来の匙本の形状には、やや湾曲した板状体の先端部を平坦にした物や円弧状に尖った物、又は、軽量化するために匙体の一部をくり抜いたスコップ等がある。
【考案の開示】
【考案が解決しようとする課題】
【０００３】
上述のような、従来の畑作用スコップの匙体で畑を掘り起こすと、土は１０〜１５ｃｍ程度の塊柱状になって掘り起こされ、更に、細かく粒状にするには鍬等で打ち砕かなくてはならず、その後でなければ、種まきや苗植え等の作付けが出来ない。しかも、これらの作業は畑作用重労働であった。
そこで、本考案は、掘り起こした時点で土が細粒化される畑作用スコップを提供し、従来の重労働を軽減させようとするものである。
【課題を解決するための手段】
【０００４】
本考案は、柄（１）の上端に握り部（２）を下端に畑を掘り起こす匙本（３）から成る畑作用スコップにおいて、該匙体（３）の背面には土を縦方向に切れ目を入れる刃体（４）を複数個立設して成る畑作用スコップである。
尚、刃体（４）の形状には、一例として図１のように匙体（３）の先端から後方に傾斜された略三角形の形状をし、体面を切り抜いた刃体（４１）や、図２のように半三日月型にした刃体（４２）や、図３に示すように刃面を略半円形をした刃体（４３）等が考えられるが、これらの形状には特に限定しない。土に切れ目が入ればよい。
又、匙体（３）本体の形状は上述のような既存の匙体でもよく特に限定するものではない。
【考案の効果】
【０００５】
本畑作用スコップは、匙体の背面の立設した刃体によって背面の土に複数箇所切れ目を  入れ、次の動作で切り目を入れた土部を匙体で掬い上げると、匙体の上で該土が砕け始  める。更に匙体を裏返（反転）し該土を落下させれば更に細かく砕ける。
従って、従来のように鍬等で砕く作業がなくなり非常に楽で、早く掘り起こすことが  出来る。
尚、  立設した刃体（４）の間に土が固着することを防ぐには、刃の体面を広くする  よりは図１の様に、面を切り抜いて刃体（４１）等が土離れが優れている。
上述の様に、本考案のスコップで畑を掘り起こせば土が容易に細粒化され、土と空気  とが充分接し、酸素を多く含む良質な土に醸成される効果も生じる。
【考案を実施するための最良の形態】
【０００６】
本考案の実施の形態を図１〜４に基づき説明する。
第１実施例の畑作用スコップを図１に示す如く、匙体（３）の背面に３本の略三角形の形状をし、更に体面を切り抜いた刃体（４１）を立設した。
尚、傾斜部の刃面の長さを特に限定するものではないが、匙体の長短に合わせて自由に選定すればよい。
【０００７】
第２実施例の畑作用スコップを図２に示す如く、匙体（３）の背面に半三日月型の刃体（４２）を立設した。
【０００８】
第３実施例の畑作用スコップを図３に示す如く、匙体を軽量化するために２個所くり抜いた（５）の匙体（３１）の背面に半円形の刃体（４３）を３本立設した。
【０００９】
本考案の畑作用スコップの使用方法と各構成の作用を図４に基づき説明する。
先ず、図４のように、畑作用スコップの匙体の肩部に足を掛け匙体を土中に刺し込むと、刃体（４）によって刃体の数だけ匙体背面の土が、縦方向に複数個所切れ目（６）が生じる。
次に、前記の作用で複数箇所切れ目を入れた土（７）の後部に該スコップを刺し込み匙体の前面で土（７）を掬い上げると匙体の上の該土（７）が砕けると同時にスコップを裏返（反転）し落下させると更に土が細かく砕けるのである。
上述のような動作を連続して繰り返すことによって畑全体を細かく掘り起こすことが出来る。
【図面の簡単な説明】
【００１０】
【図１】本考案の第１実施例の背面図と側面図を示す。
【図２】本考案の第２実施例の背面図と側面図を示す。
【図３】本考案の第３実施例の背面図と側面図を示す。
【図４】本考案の畑作用スコップで土を掘り起こし、該土が細かく砕ける動作を示              す。
【符号の説明】
【００１１】
１      柄
２      握り部
３      匙体
３１    匙体の一部をくりぬいた匙体
４      刃体
４１    略三角形の形状にした刃体
４２    半三日月型の刃体
４３    略半円形の刃体
５      匙体をくり抜きした部
６      土に入れた切り目
７      切り目が入った土
【図１】
0003134061.tif 000003
【図２】
0003134061.tif 000004
【図３】
0003134061.tif 000005
【図４】
0003134061.tif 000006
(57)【要約】      （修正有）【課題】使用目的に対応した平面形状・円筒形状・円錐形状等、多種形状に形成し易く、且つ、シートを発光させて防犯や安全や誘導等に役立つ注意喚起シートを提供する。【解決手段】使用する用途や目的に応じて形状を平面形状や円筒形状や円錐形状等に変形可能なフィルム状の樹脂基板１ａに発光素子１ｅを集積し、且つ、有機材料の薄膜に電圧を継続的或いは断続的に加えて発光させ、使用目的に応じて、点灯又は点滅させて注意を喚起させる。【選択図】図１
0003134064.tif 000002
【実用新案登録請求の範囲】
【請求項１】
各種商品等に貼付或いは付属するシートと有機ＥＬを組合せてなる発光シートにおいて、該発光シート（１）は使用する用途や目的に応じて形状を平面形状や円筒形状や円錐形状等に変形可能なフィルム状の樹脂基板（１ａ）に発光素子を集積し、且つ、有機材料の薄膜に電圧を継続的或いは断続的に加えて発光させ、使用目的に応じて、点灯又は点滅させて注意を喚起させる事を特徴とする注意喚起シート。
【考案の詳細な説明】
【技術分野】
【０００１】
この考案は、注意喚起シートに関するものである。
【背景技術】
【０００２】
従来、一般的に使用されている各種商品に貼付されているシールやステッカー等のシートは、通常興味の無い人には余り目立たない為、シールやステッカーの持つ本来の目的が充分に果たされていない。
【０００３】
従って、シールやステッカー等の本来の目的を確実に果たす為に、注意を喚起して防犯や安全や誘導等に役立たせる為の改善案が要求されている。
【０００４】
これまでに出願されている注意喚起シートの特許文献を参考の為、紹介する。（特許文献１〜２参照。）
【特許文献１】特許公開２００４−３２５９７７
【特許文献２】登録実用新案第３１０２４１８号
【考案の開示】
【考案が解決しようとする課題】
【０００５】
そこで、上記課題を解決する為に、この考案は使用目的に対応した平面形状・円筒形状・円錐形状等、多種形状に形成し易く、且つ、シートを発光させて防犯や安全や誘導等に役立つ注意喚起シートを開発・提供する事にある。
【課題を解決するための手段】
【０００６】
この課題を解決する為の手段として、使用する用途や目的に応じて形状を平面形状や円筒形状や円錐形状等に変形可能なフィルム状の樹脂基板に発光素子を集積し、且つ、有機材料の薄膜に電圧を継続的或いは断続的に加えて発光させ、使用目的に応じて、点灯又は点滅さて注意を喚起させるものである。
【考案の効果】
【０００７】
この考案の効果として、使用する用途や目的に応じて形状を平面形状や円筒形状や円錐形状等に変形可能なフィルム状の樹脂基板に発光素子を集積し、且つ、有機材料の薄膜に電圧を継続的或いは断続的に加えて発光させ、使用目的に応じて、点灯又は点滅させて注意を喚起させる事で、防犯や歩行者の安全確認や目的場所への誘導等、多目的に使用が可能である。
【０００８】
又、本考案の発光体には有機化合物（有機ＥＬ）を使用している為、材料を結晶化する必要がないので製造が容易で、且つ、薄膜状態で使用する為、非常に薄く形成出来る等、極めて有益なる効果を奏するものである。
【考案を実施するための最良の形態】
【０００９】
この考案の最良の形態として、使用する用途や目的に適合した寸法形状に形成し、且つ、使用時は目的に合わせて発光（点灯或いは点滅）させて、より効果的に注意を喚起することが重要である。
【実施例１】
【００１０】
そこで、この考案の一実施例を図１〜図２に基づいて詳述すると、各種商品等に貼付或いは付属するシートと有機ＥＬを組合せてなる発光シートにおいて、該発光シート（１）は使用する用途や目的に応じて形状を平面形状や円筒形状や円錐形状等に変形可能なフィルム状の樹脂基板（１ａ）に発光素子を集積し、且つ、有機材料の薄膜に電圧を継続的或いは断続的に加えて発光させ、使用目的に応じて、点灯又は点滅させて注意を喚起させる事を特徴とする注意喚起シートから構成される。
【００１１】
次に、この考案の一例を図２（回路図）に基づいて説明すると、本回路はワンショットタイマーとして使用する場合の結線で、押しボタン（１ｂ）を押すとタイマーがスタートします。そして、タイマースタートで出力がＨレベル（＝電源電圧の６Ｖ）に成ると同時に、７番端子（ＤＩＳ）が開放状態に成ります。そして、７番端子を通して常に放電していたＣＴのコンデンサーはＲＴを通して充電されます。又、ＣＴの電圧か電源電圧の２／３（本回路では４Ｖ）に成ると出力はＬレベル（＝０Ｖ）に戻り、ＣＴに給った電荷は、再度７番端子を通して放電します。又、本回路の場合、充電時間＝ｃｔ（１０μ）×ｒｔ（１ＭΩ）＝１０秒で、正確に合わせたい場合はｒｔを可変抵抗にして合わせこみが必要に成る。
【００１２】
又、上記の場合発光シートを一定の間隔で点滅させて使用しているが、使用目的や用途に応じて、発光シートを点灯させて使用しても構わない。
【００１３】
次に、注意喚起シートの使用例について説明すると、防犯用に使用する場合は、図３に示す様に窓（Ｗ）のガラス部に設置して電源スィッチを入れる事で発光し、注意喚起シートの監視カメラ作動中の文字がより目立ち、注意を喚起する。
【実施例２】
【００１４】
その他の事例について説明すると、図４に示す様に歩行者（Ｐ）の安全確認をより確実に行う為に、発光シート（１’）付の腕章を腕に着用して、歩道を歩けばドライバーの目に入り易く、事故が未然に防げる。
【産業上の利用可能性】
【００１５】
この考案の注意喚起シートは、柔軟なシート材を用いる為、使用目的に対応した平面形状・円筒形状・円錐形状等、多種形状に形成し易く、且つ、シートを発光させて防犯や安全や誘導等に役立つ為、多くの市場に寄与する点で産業上の利用可能性を有する。
【図面の簡単な説明】
【００１６】
【図１】この考案の一実施例を示し、樹脂基板の正面図である。
【図２】この考案の一実施例を示し、配線図である。
【図３】この考案の使用例を示し、防犯用に使用した時の正面図である。
【図４】この考案の使用例を示し、歩行者の安全確認用に使用した時の斜視図である。
【符号の説明】
【００１７】
１  発光シート
１’  発光シート
１ａ  樹脂基板
１ｂ  押しボタン
１ｃ  電源
１ｄ  集積回路
１ｅ  発光ダイオード
１ｆ  リード線
Ｐ  歩行者
Ｗ  窓
【図１】
0003134064.tif 000003
【図２】
0003134064.tif 000004
【図３】
0003134064.tif 000005
【図４】
0003134064.tif 000006
(57)【要約】【課題】  本考案は、運動時において時計等腕につける物に汗などが入り、故障の原因となることを防ぐためのものである。【解決手段】  布地で作られたリストバンドで腕から出る汗をとりその上に伸縮性で帯状の面ファスナーの一端部を固定装着し、小型器具を取り付けることで、汗等などでの故障を防ぐものであり。【選択図】図４
0003134005.tif 000002
【実用新案登録請求の範囲】
【請求項１】
布地で作られた円筒体と、運動時必要な小型器具を着脱自在に取り付ける伸縮性で帯状の面ファスナーとから構成し前記面ファスナーは前記円筒体の外周囲の長さ寸法よりも長い寸法に形成し、前記面ファスナーの一端部を前記円筒体に縫着し、前記面ファスナーに装着した前記小型器具を前記円筒体の表面に添設した状態で、面ファスナーを円筒体の外周に巻回して面ファスナーの他端部を面ファスナー自身に着脱自在に装着したことを特徴とするリストバンド。
【考案の詳細な説明】
【技術分野】
【０００１】  本考察は、ゲートボールやグランドゴルフ等のスポーツのプレー中に身体に身に着けるタイムスコア等の小型器具を手首に装着するリストバンドに関する。
【背景技術】
【０００２】  従来は、このような小型器具は、その裏面を肌にせっしょくさせた状態でベルトで手首に巻き、固定していた。
【考案の開示】
【考案が解決しようとする課題】
【０００３】  このような小型器具は一般的に腕時計のように防水加工がされていないので、小型器具の裏面が直接素肌に密着して取り付けられると、汗が小型器具内に進入する。
【課題を解決するための手段】
【０００４】    布地で作られた円筒体と、運動時必要な小型器具を着脱自在に取り付ける伸縮性で帯状の面ファスナーとから構成し前記面ファスナーは前記円筒体の外周囲の長さ寸法よりも長い寸法に形成し、前記面ファスナーの一端部を前記円筒体に縫着し、前記面ファスナーに装着した前記小型器具を前記円筒体の表面に添設した状態で、面ファスナーを円筒体の外周に巻回して面ファスナーの他端部を面ファスナー自身に着脱自在に装着したことを特徴とする。
【考案の効果】
【０００５】  本考案のリストバンドは簡単に必要な小型器具を固定装着できる。また本考案のリストバンドを利用すると小型器具は布地で作られた円筒体を介して腕に装着させるので、スポーツのプレー中汗をかいても、その汗が円筒体で吸収され、小型器具内に汗が入らない。
【考案を実施するための最良の形態】
【０００６】    １はタオル地で作られた円筒体、２はこの円筒体１の表面に一端部を縫着した帯状の伸縮性面ファスナー、４はこの面ファスナー２の他端部を円筒体１の表面を一周させ着脱自在に装着した部分である。前記円筒体１と、帯状の伸縮性面ファスナー２で本考案のリストバンドを構成してある。前記面ファスナーの長さ寸法は前記円筒体の外周より長い。
たとえばゲートボール時に使用するタイムスコア（小型器具）３は次のように腕に取り付けられる。
図１に示すように、リストバンドに伸縮性面ファスナーを表面に固定装着する。
図２、図４に示すように、ゲートボール試合時腕に装着し、１番から１０番のボールが第１から第３まであるゲートを順に通過するたびそれぞれ１点が与えられる。１番のボールが通過したのであればボタン６−１を押し入力する、２番のボールであればボタン６−２を押す。ボタンを押すたびに表示部５の対応する箇所に得点が加算表示される。三つのゲートを通過し最後にコート中央のゴールポールに当たれば２点が与えられる。その計算を試合中、手首に装着しておき残り時間と状況を判断する。
ゲートボールとは、３０分間で得点を競い合うゲームである。が、片方のチームがすべてゴールポールに当たればその時点で試合終了になる。
【図面の簡単な説明】
【０００７】
【図１】  円筒体と面ファスナーからなるリストバンドの斜視図。
【図２】  小型器具の裏面に面ファスナーを通したリストバンドの斜視図。
【図３】  小型器具の斜視図。
【図４】  小型器具を手首に装着した状態を横から見た図。
【符号の説明】
【０００８】１  タオル状等の布地で作られた円筒体。
２  帯状の伸縮性面ファスナー。
３  小型器具（通称タイムスコア）
４  装着部（面ファスナー）
５  小型器具の表示部
【図１】
0003134005.tif 000003
【図２】
0003134005.tif 000004
【図３】
0003134005.tif 000005
【図４】
0003134005.tif 000006
(57)【要約】【課題】本考案は、自動車車体後面灯を、方向灯と後退灯を兼用とする灯内に、オレンジ色と白色の二色灯バルブを配置する自動車車体後面灯の配列構造を提供する。【解決手段】車体後面（Ａ）の後面灯が、赤色尾灯（ａ）の地に、赤色制動灯（ｂ）と赤色の赤色方向灯（ｅ）と白色後退灯（ｄ）が配列されている輸入外車の後面灯を、日本仕様に改装する場合、赤色尾灯（ａ）の地に、赤色制動灯（ｂ）と共に、赤色方向灯（ｅ）の赤色はそのままにして制動灯（ｆ）とし、白色後退灯（ｄ）を、方向灯となるオレンジ色バルブ（ｐ）後退灯となる白色バルブ（ｑ）を内装備した二色灯（ｇ）に変えて配列した構造を特徴とした。【選択図】図１
0003134003.tif 000002
【実用新案登録請求の範囲】
【請求項１】
車体後面（Ａ）の後面灯が、赤色尾灯（ａ）の地に、赤色制動灯（ｂ）と赤色の赤色方向灯（ｅ）と白色後退灯（ｄ）が配列されている輸入外車の後面灯を、日本仕様に改装する場合、赤色尾灯（ａ）の地に、赤色制動灯（ｂ）と共に、赤色方向灯（ｅ）の赤色はそのままにして制動灯（ｆ）とし、白色後退灯（ｄ）を、方向灯となるオレンジ色バルブ（ｐ）後退灯となる白色バルブ（ｑ）を内装備した二色灯（ｇ）に変えて配列した構造を特徴とした二色バルブを配置内装する自動車車体後面灯の配列構造。
【考案の詳細な説明】
【技術分野】
【０００１】  本考案は、自動車車体後面灯を、方向灯と後退灯を兼用とする灯内に、オレンジ色と白色の二色灯バルブを配置する自動車車体後面灯の配列構造に関する。
【背景技術】
【０００２】  自動車社会於ける国産車の車体構造の内、車体後面（Ａ）に配置する後面灯の色彩は、機能別に色分けが法的に指定されていて、図２に示すように、赤色尾灯（ａ）の地に、赤色制動灯（ｂ）と、オレンジ色方向灯（ｃ）及び白色後退灯（ｄ）が配列されている。【０００３】  近年、日本国外からの輸入車は、ますます増加傾向にあるが、車体後面に配置する後面灯の色彩は、国産車に対して、輸入外車の多くは、自国に於ての機能別の色分けが指定されていない場合が多く、そのため、輸入後に日本国内向けにその仕様を機能に応じた色分けに改装する必要がある。
【考案の開示】
【考案が解決しようとする課題】
【０００４】  輸入外車の後面灯に於ては、自国に於ての機能別の色分けが法的に指定されていない国が大部分で、例えば、アメリカの場合、図３のように、自動車の車体後面（Ａ）の後面灯は、赤色尾灯（ａ）の地に、赤色制動灯（ｂ）と赤色の赤色方向灯（ｅ）と白色後退灯（ｄ）が配列されているのが一般的で、制動灯と方向灯が共に赤色のまま兼用となっている場合が多い。【０００５】  日本では法律上、方向灯はオレンジ色に指定されているので、日本仕様に改装する場合は、図４のように、赤色尾灯（ａ）の地に、赤色制動灯（ｂ）と共に、赤色方向灯（ｅ）の赤色はそのままにして制動灯（ｆ）とし、白色後退灯（ｄ）の白色はオレンジ色に変えて、オレンジ色方向灯（ｈ）とし、別に、白色の白色後退灯（Ｅ）を車体後面（Ａ）の下に吊り下げる構造とするのが普通に行われている改装方法としている。【０００６】  しかし、上記のように、白色の白色後退灯（Ｅ）を車体後面（Ａ）の下に吊り下げる構造では、車体外観の見ばえが悪く、側面から見た場合の車体後方のアングル（Ｆ）内に、図５のように、白色後退灯（Ｅ）が懸架されてアングル（Ｆ）が確保出来ず、白色後退灯（Ｅ）が破損したり、危険も伴う恐れがある。【０００７】  本考案は、一個の灯内に色彩を別にした二個のバルブを内蔵せしめて機能を兼用せしめることにより、吊り下げる構造をなくして、車体後方のアングル（Ｆ）の安全を確保し、見ばえの良い車体外観をそのまま保つようにするものである。
【課題を解決するための手段】
【０００８】  本考案は、車体後面（Ａ）の後面灯が、図３のように、赤色尾灯（ａ）の地に、赤色制動灯（ｂ）と赤色の赤色方向灯（ｅ）と白色後退灯（ｄ）が配列されている輸入外車の後面灯を、日本仕様に改装する場合、図１のように、赤色尾灯（ａ）の地に、赤色制動灯（ｂ）と共に、赤色方向灯（ｅ）の赤色はそのままにして制動灯（ｆ）とし、白色後退灯（ｄ）を、方向灯となるオレンジ色バルブ（ｐ）と後退灯となる白色バルブ（ｑ）を対にして内装備した二色灯（ｇ）に変えて配列した構造を特徴とした。【０００９】  上記二色灯（ｇ）内に装備したオレンジ色のバルブ（ｐ）は、運転席の方向レバー（１）に、白色のバルブ（ｑ）は、運転席の後退レバー（２）のそれぞれのスイッチに配線するものとする。
【考案の効果】
【００１０】  本考案は、輸入外国製自動車の外国仕様の車体後面灯を、日本仕様の構造に改装する場合の、後面灯配列構造を、白色後退灯（ｄ）を、方向灯となるオレンジ色バルブ（ｐ）と後退灯となる白色バルブ（ｑ）を対にして内装備した二色灯（ｇ）に変えて配列した構造としたものであるから、灯内に色彩を別にした二個のバルブを内蔵せしめて機能を兼用せしめることにより、従来のように、色を異にする方向灯と後退灯を別々に配置する必要がないから、吊り下げる構造をなくして、車体後方のアングル（Ｆ）の安全を確保し、見ばえの良い車体外観をそのまま保つ効果を得たものである。
【考案を実施するための最良の形態】
【００１１】  本考案は、輸入外国製自動車の外国仕様の車体後面灯を、日本仕様の構造に改装する場合の、後面灯配列構造を、白色後退灯（ｄ）を、方向灯となるオレンジ色バルブ（ｐ）と後退灯となる白色バルブ（ｑ）を対にして内装備した二色灯（ｇ）に変えて配列した構造としたものであって、灯内に色彩を別にした二個のバルブを内蔵せしめて機能を兼用せしめることにより、従来のように、色を異にする方向灯と後退灯を別々に配置する必要がないから、吊り下げる構造をなくして、車体後方のアングル（Ｆ）の安全を確保し、見ばえの良い車体外観をそのまま保つ効果を得たものである。【００１２】  本考案では、二色灯（ｇ）内に装備したオレンジ色バルブ（ｐ）は、運転席の方向レバー（１）に、白色バルブ（ｑ）は、運転席の後退レバー（２）のそれぞれのスイッチに配線するものであるから、二色灯（ｇ）は、方向灯と後退灯が兼用となって方向レバー（１）の操作ではオレンジ色バルブ（ｐ）が点滅し、後退レバー（２）の操作では白色バルブ（ｑ）が点灯して後退灯となる。
【図面の簡単な説明】
【００１３】
【図１】  本考案装置の要部正面図である。
【図２】  従来の日本車仕様の車体後面の要部正面図である。
【図３】  輸入外国車仕様の車体後面の要部正面図である。
【図４】  輸入外国車を国内仕様に改装した例の要部正面図である。
【図５】  輸入外国車を国内仕様に改装した例の要部側面図である。
【符号の説明】
【００１４】      Ａ  車体後面
ａ  赤色尾灯
ｂ  赤色制動灯
ｃ  オレンジ色方向灯
ｄ  白色後退灯
ｅ  赤色方向灯
ｆ  制動灯
ｇ  二色灯
ｐ  オレンジ色バルブ
ｑ  白色バルブ
ｈ  オレンジ色方向灯
Ｅ  白色後退灯
Ｆ  アングル
１  方向レバー
２  後退レバー
【図１】
0003134003.tif 000003
【図２】
0003134003.tif 000004
【図３】
0003134003.tif 000005
【図４】
0003134003.tif 000006
【図５】
0003134003.tif 000007
(57)【要約】      （修正有）【課題】殺菌効果のある粘着テープを提供する。【解決手段】担体層２０、銀ナノ粒子層３０および粘着層４０を有する殺菌効果のある粘着テープ１０。前記担体層は、上面と下面を有する。前記銀ナノ粒子層は前記担体層の上面に形成され、多数の銀ナノ粒子を含んでいる。前記粘着層は、前記担体層の下面に形成される。殺菌効果のある粘着テープはさまざまな物品に適用可能であり、殺菌剤として日常的に使用できる。【選択図】図２
0003134757.tif 000002
【実用新案登録請求の範囲】
【請求項１】
上面と下面とを有する担体層と該担体層の前記下面に設けられた粘着層とを含み、前記担体層の前記上面には銀ナノ粒子層が形成されており、前記銀ナノ粒子層は多数の銀ナノ粒子を有している、殺菌効果のある粘着テープ。
【請求項２】
前記担体層が不織布材料からなる、請求項１に記載の粘着テープ。
【請求項３】
前記担体層が樹脂材料からなる、請求項１に記載の粘着テープ。
【請求項４】
前記担体層が繊維材料からなる、請求項１に記載の粘着テープ。
【考案の詳細な説明】
【技術分野】
【０００１】
本考案は、粘着テープに関し、より詳細には殺菌効果を有する粘着テープに関する。
【背景技術】
【０００２】
粘着テープは、表面や立体物を覆ったり付着させたりするためにのみ用いられており、粘着層と担体層とを備えている。しかしながら、従来の粘着テープは該テープが覆い、付着している表面や立体物を殺菌するためには使用されてない。殺菌ないし消毒する機能を備える粘着テープは、従来技術と比べて有利な効果がある。
【考案の開示】
【考案が解決しようとする課題】
【０００３】
本考案は、かかる技術的欠点を克服し上記の問題を解決する殺菌効果を有する粘着テープを提供する。
【０００４】
本考案の主な目的は殺菌効果のある粘着テープを提供することにある。
【課題を解決するための手段】
【０００５】
本考案は、担体層と銀ナノ粒子層と粘着層とを含む殺菌効果のある粘着テープに関する。前記担体層は上面及び下面を有する。前記銀ナノ粒子層は前記担体層の上面に形成されており、多数の銀ナノ粒子を含んでいる。前記粘着層は、前記担体層の下面に設けられている。前記殺菌効果のある粘着テープはあらゆる物品に適用可能であり、殺菌剤として日常的に使用できる。
【０００６】
本考案の他の目的や、利点、新規性を有する点は以下に記す詳細な説明および添付の図面を参照することで明らかとなるであろう。
【０００７】
図１及び２は、本考案における殺菌効果のある粘着テープ（１０）を示す。殺菌効果のある粘着テープ（１０）は、担体層（２０）、銀ナノ粒子層（３０）、および粘着層（４０）とを有する。前記担体層（２０）は、不織布材料、繊維材料、プラスチック材料などの担体層に使用される材料からなる。前記担体層（２０）は、上面及び下面を有する。前記銀ナノ粒子層（３０）は、前記担体層（２０）の上面にしっかりと形成されており、多数の銀ナノ粒子を含んでいる。前記粘着層（４０）は前記担体層（２０）に付着されている。前記銀ナノ粒子層（３０）は、当業者周知の技術である銀膜スパッタリングによって前記担体層（２０）の上に蒸着される。銀ナノ粒子は、それぞれの直径が５から１０ナノメートルあることが望ましい。また、前記粘着層（４０）は、当業者に従来周知の粘着層からなる。
【０００８】
銀ナノ粒子は酸素分子と結合するため、化学反応を生じさせる光を照射しなくとも微生物に対する強力な酸化剤として作用する。また、銀ナノ粒子は、微生物の外皮タンパク質であるチオール（水素化された硫黄結合を含む化合物）と結合するため、微生物の組織を破壊、すなわち外皮タンパク質を変性させることができる。銀ナノ粒子は強力な殺菌作用を有するので、微生物を効率的に殺滅することができる。
【０００９】
銀ナノ粒子は、直径が５〜１０ナノメートルである場合、病原性大腸菌やブドウ球菌などの菌やウィルスの繁殖を抑制する作用を有する。銀ナノ粒子は非常に小さく、粒子のサイズが小さくなると表面積が増えるため、抑制力や殺菌力が向上する。
【００１０】
さらに、本粘着テープ（１０）は、ｐＨ値が中性であり、酸性や塩基性すなわち塩分の強い環境において抵抗力を有し、熱や光に対して安定性を有している。したがって、本考案における殺菌効果のある粘着テープは、あらゆる環境で使用でき、強い殺菌効果を奏する。しかも、銀ナノ粒子は時間を経ても劣化しないため、殺菌効果のある本粘着テープは長期間使用することができる。
【００１１】
本考案に係る殺菌効果のある粘着テープ（１０）は、さまざまな用途に使用することができるので、該殺菌効果のある粘着テープ（１０）の一部は、衣服や容器、家庭用品、冷蔵庫や引き出し、家具、水槽など長期間殺菌効果が必要となるものに使用される。衣服とは、下着、帽子、靴、靴下、ガーゼのマスク、毛布やカーテンなどがある。容器とは、段ボール箱、ビーニール袋、バスケットやバケツなどがある。家庭用品とは、扇風機、エアコンのフィルター、台所用品等の物品がある。
【００１２】
上記のように本考案の様々な特徴や利点を詳細な構造とともに述べてきたが、開示したものは実施例にすぎない。本発明の細部、特に形状、大きさ、部品の配置は本願発明の本質を逸脱しない限り請求項に表現された言葉が持つ一般的意味の範囲内で変更することが可能である。
【図面の簡単な説明】
【００１３】
【図１】本考案に係る粘着テープの斜視図である。
【図２】図１に示した粘着テープの部分横断面図である。
【符号の説明】
【００１４】
１０        殺菌効果のある粘着テープ
２０        担体層
３０        銀ナノ粒子層
４０        粘着層
【図１】
0003134757.tif 000003
【図２】
0003134757.tif 000004
(57)【要約】      （修正有）【課題】携帯性や保存性の向上を図ることのできる水溶性化粧水原料を提供することを目的とする。【解決手段】水溶性化粧水原料１は、顆粒状に成形されていることを特徴とし、スティック状の袋２内に密閉して収容されているのが好ましい。そして、これにより、軽量化やコンパクト化が可能となり、携帯性や保存性を高めることができるため、出張や旅行、或いは出産等による入院時にも、簡単且つ嵩張ることなく携帯することができる。また、水で溶かすことにより簡単に化粧水を生成することができるため、災害時や非常時にも、容易に使用することができる。【選択図】図１
0003134727.tif 000002
【実用新案登録請求の範囲】
【請求項１】
顆粒状に成形されていることを特徴とする水溶性化粧水原料。
【請求項２】
スティック状の袋内に密閉して収容されている請求項１に記載の水溶性化粧水原料。
【考案の詳細な説明】
【技術分野】
【０００１】
本考案は、皮膚を滑らかにするために使用される化粧水の原料を顆粒状に成形した水溶性化粧水原料に関する。
【背景技術】
【０００２】
一般に、皮膚の角質層を保湿し、整え、滑らかにする目的で、液状の化粧水が使用されている。この種の従来の化粧水は、配合成分の大部分が水であり、この水にグリセリン等の保湿成分や乳化材、香料、防腐剤等が配合されて製造されている（例えば、特許文献１又は２参照）。
【特許文献１】特開平７−１７３０３０号公報
【特許文献２】特開２００１−３０２４５７号公報
【考案の開示】
【考案が解決しようとする課題】
【０００３】
しかしながら、上記した従来の化粧水は、液体のため、重量や容量が嵩み、携帯性や保存性が悪いといった問題があった。
【０００４】
本考案は、上記した課題を解決すべくなされたものであり、携帯性や保存性の向上を図ることのできる水溶性化粧水原料を提供することを目的とするものである。
【課題を解決するための手段】
【０００５】
本考案に係る水溶性化粧水原料は、顆粒状に成形されていることを特徴とする。
【０００６】
そして、本考案に係る水溶性化粧水原料は、スティック状の袋内に密閉して収容されているのが好ましい。
【考案の効果】
【０００７】
本考案に係る水溶性化粧水原料によれば、顆粒状に成形されているため、軽量化やコンパクト化が可能となり、携帯性や保存性を高めることができる等、種々の優れた効果を得ることができる。
【考案を実施するための最良の形態】
【０００８】
以下、図面を参照しつつ、本考案の実施の形態について説明する。
【０００９】
図１に示されているように、本考案の実施の形態に係る水溶性化粧水原料１は、外径が１００μｍ程度以上の顆粒状に成形され、アルミ箔製のスティック状の袋２内に密閉して収容されている。そして、１つの袋２内には、約２〜３ｇの水溶性化粧水原料１が収容されており、使用時には、この水溶性化粧水原料１を１５ｃｍ３程度の水に溶かすことにより、１週間分程度の使用量を確保できるようになっている。
【００１０】
なお、水溶性化粧水原料１は、洗顔後の皮膚に使用する、所謂一般化粧水（柔軟化粧水とも言う。）の他、植物性化粧水や、美白化粧水、にきび化粧水等、他のタイプの化粧水にも利用可能である。そして、一般化粧水の場合の水溶性化粧水原料１の配合成分には、グリセリン等の保湿成分や、乳化剤、香料、防腐剤等が含まれる他、植物性化粧水の場合には、アロエエキス、マルメロ（クインスシード）エキス等が含まれ、美白化粧水の場合には、ビタミンＣ、アルブチン等が含まれ、にきび化粧水の場合には、サリチル酸、硫黄等が含まれる。
【００１１】
このように上記した構成を備えた水溶性化粧水原料１を製造する場合、先ず、化粧水を構成する上記各配合成分を混合し、この混合体を真空工法或いは熱風乾燥工法等によって乾燥させる。
【００１２】
次いで、この乾燥工程により得られた乾燥体を振動ミル等の粉砕機によって粉末状に粉砕し、さらに、造粒機に投入し、押し出し造粒した後、冷却し、顆粒化する。
【００１３】
このように上記した本考案の実施の形態に係る水溶性化粧水原料１によれば、水溶性化粧水原料１が顆粒状に成形されているため、飛散防止を図ることができ、取り扱い易くなるといった効果を得ることができる。
【００１４】
また、水溶性化粧水原料１がスティック状の袋２内に密閉して収容されているため、携帯性や保存性を高めることができる。
【００１５】
したがって、出張や旅行、或いは出産等による入院時にも、簡単且つ嵩張ることなく携帯することができる。また、水で溶かすことにより簡単に化粧水を生成することができるため、災害時や非常時にも、容易に使用することができる。
【００１６】
なお、上記した実施の形態において説明した水溶性化粧水原料１の製造方法は、単なる一例に過ぎず、例えば、従来の凍結乾燥工法（フリーズドドライ）を利用して製造する等、他の製造方法を利用することも可能である。
【００１７】
また、上記した実施の形態では、本発明を化粧水に適用した場合について説明したが、本発明は、美容液等、他の化粧品にも適用することが可能である。
【図面の簡単な説明】
【００１８】
【図１】本考案の実施の形態に係る水溶性化粧水原料がスティック状の袋内に密閉して収容されている状態を示す平面図である。
【符号の説明】
【００１９】
１          水溶性化粧水原料
２          スティック状の袋
【図１】
0003134727.tif 000003
(57)【要約】  【課題】  製造が容易で使いやすさに優れた、垢すり用合成繊維の布地を備えたタオルを提供する。  【解決手段】  湯上がりの身体を拭くのに適した厚みと柔らかさを有するタオル地に、これと略同形の、粗い表面を有し垢すりと泡立ちに適した合成繊維の布地を重ね合わせ、タオル地の周縁部の全周に合成繊維の布地の周縁部の全周をオーバーロック加工により縫着し、タオル地と合成繊維の布地との重ね合わせ部の全域を非縫着状態とする。合成繊維の布地は、ナイロン、アクリル、ポリエステル、レーヨンなどから構成する。【選択図】図１
0003134774.tif 000002
【実用新案登録請求の範囲】
【請求項１】
湯上がりの身体を拭くのに適した厚みと柔らかさを有するタオル地に、これと略同形の、粗い表面を有し垢すりと泡立ちに適した合成繊維の布地を重ね合わせ、前記タオル地の周縁部に前記合成繊維の布地の周縁部を縫着し、前記タオル地と合成繊維の布地との重ね合わせ部の全域を非縫着状態としたことを特徴とするタオル。
【請求項２】
湯上がりの身体を拭くのに適した厚みと柔らかさを有するタオル地に、これと略同形の、粗い表面を有し垢すりと泡立ちに適した合成繊維の布地を重ね合わせ、前記タオル地の周縁部に前記合成繊維の布地の周縁部を縫着し、前記タオル地と合成繊維の布地との重ね合わせ部の全域を非縫着状態とし、前記合成繊維の布地が、ナイロン、アクリル、ポリエステル、レーヨンの中の少なくとも１つにより構成されていることを特徴とするタオル。
【請求項３】
湯上がりの身体を拭くのに適した厚みと柔らかさを有するタオル地に、これと略同形の、粗い表面を有し垢すりと泡立ちに適した合成繊維の布地を重ね合わせ、前記タオル地の周縁部に前記合成繊維の布地の周縁部を縫着し、前記タオル地と合成繊維の布地との重ね合わせ部の全域を非縫着状態とし、前記タオル地の周縁部の全周に前記合成繊維の布地の周縁部の全周をオーバーロック加工により縫着したことを特徴とするタオル。
【考案の詳細な説明】
【技術分野】
【０００１】
本考案は、入浴時に垢すりようとして使用できる合成繊維の表面の粗い布地を備えた湯上がり用又は入浴用として使用可能なタオルに関する。
【背景技術】
【０００２】
従来、木綿、麻などの比較的柔らかい天然繊維の布地の片面の一部に、該布地より小型の、ナイロン、アクリル、ポリエステルなどの表面が粗い垢すり兼マッサージ用に適する合成繊維の布地の全域を縫い付けたものが知られている（例えば特許文献１参照）。
【特許文献１】実用新案登録第２６０３３７４号公報
【考案の開示】
【考案が解決しようとする課題】
【０００３】
木綿などのタオル地に、垢すり用の合成繊維の全域を一体的に縫製した構成とすると、タオル地に、垢すり用の合成繊維を取り付ける縫製加工が容易でなく、手間がかかりコスト高の原因となる。しかも、タオル地と、垢すり用の合成繊維の布地の対面部を一体的に縫製した場合、タオル地の軟らかさが失われて肌触りが悪くなり、使い難くなるという問題点がある。
本考案の主たる目的は上記問題点を解決することである。  
【課題を解決するための手段】
【０００４】
上記目的を達成するため本考案は、湯上がりの身体を拭くのに適した厚みと柔らかさを有するタオル地に、これと略同形の、粗い表面を有し垢すりと泡立ちに適した合成繊維の布地を重ね合わせ、前記タオル地の周縁部に前記合成繊維の布地の周縁部を縫着し、前記タオル地と合成繊維の布地との重ね合わせ部の全域を非縫着状態としたものである。
また本考案は、湯上がりの身体を拭くのに適した厚みと柔らかさを有するタオル地に、これと略同形の、粗い表面を有し垢すりと泡立ちに適した合成繊維の布地を重ね合わせ、前記タオル地の周縁部に前記合成繊維の布地の周縁部を縫着し、前記タオル地と合成繊維の布地との重ね合わせ部の全域を非縫着状態とし、前記合成繊維の布地が、ナイロン、アクリル、ポリエステル、レーヨンの中の少なくとも１つにより構成されていることを特徴とするものである。
また本考案は、湯上がりの身体を拭くのに適した厚みと柔らかさを有するタオル地に、これと略同形の、粗い表面を有し垢すりと泡立ちに適した合成繊維の布地を重ね合わせ、前記タオル地の周縁部に前記合成繊維の布地の周縁部を縫着し、前記タオル地と合成繊維の布地との重ね合わせ部の全域を非縫着状態とし、前記タオル地の周縁部の全周に前記合成繊維の布地の周縁部の全周をオーバーロック加工により縫着したことを特徴とするものである。
【考案の効果】
【０００５】
本考案は、タオル地の周縁部に垢すり用の合成繊維の布地が付いているので、浴場などの施設にタオルと垢すり用の手ぬぐいの２種類の布地を用意する必要がなく、タオル類の管理が容易になる。また垢すり付きタオルの製造が容易であるとともに、タオル地と垢すり用合成繊維の布地との対面部を縫着しないので、タオル地の軟らかさが損なわれることがなく、タオルの特性をそのまま保持することができる。
【考案を実施するための最良の形態】
【０００６】
以下に本考案の実施の形態を添付した図面を参照して詳細に説明する。
図１は、本実施形態に係るタオルの外観説明図であり、図中、タオル本体１は、左右方向に長く伸びており、中間部が図示省略されている。タオル本体１の全体形状は、種々の形状に構成できるが、本実施形態では、矩形状に形成されている。
【０００７】
タオル本体１は、タオル地２と、垢すり用の合成繊維の布地３とから構成され、これらは互いに略同一形状に裁断され、二重に重ねられている。前記タオル地２は、小さな輪状の毛羽のある、吸湿性に優れた厚手の綿織物により構成されている。一方、タオル地２に対面して配置された合成繊維の布地３は、ナイロン、アクリル、ポリエステル、レーヨンなどの素材から成り、垢すりや石けんの泡立ちに適するように、表面が粗く形成されている。
【０００８】
前記タオル地２と合成繊維の布地３の各々の周縁部は、縁のラインが互いに一致して配置され、これらの周縁部は、オーバーロック加工により縫着されている。タオル本体１の周縁部はその全周にわたって前記オーバーロック加工により縫着部４が形成されている。このオーバーロック加工とは、布地３カットした際に縁がほつれるのを防ぐために、縁をオーバーロックミシンで、二重縫いしてほつれないようにする加工のことを言い、「サージング」とも呼ばれている。
【０００９】
前記タオル地２と合成繊維の布地３との重ね合わせ部の全域を非縫着状態とし、タオル地２と合成繊維の布地３との対面部は互いにフリーな状態となっている。従って、タオル地２の軟らかさはそのまま保持されている。
上記した構成において、タオル本体１を、湯上がり時には、タオル本体１の一方のタオル地２の面側を使用する。また、タオル本体１を入浴時に身体を洗うのに使用する場合には、タオル本体１の他方の合成繊維の布地３側を使用する。この合成繊維の布地３は、表面の粗さにより、垢すりと石けんの泡立ちに適している。  
【図面の簡単な説明】
【００１０】
【図１】本考案に係るタオルの説明的正面図である。
【図２】Ａ−Ａ線断面図である。
【符号の説明】
【００１１】
１      タオル本体
２      タオル地
３      合成繊維の布地
４      縫着部
【図１】
0003134774.tif 000003
【図２】
0003134774.tif 000004
(57)【要約】【課題】出力レベルの異なる複数の出力端子を状況に応じて適宜使い分けることにより、減衰器を使用することなく好適に対応することができる光受信装置を提供する。【解決手段】光ファイバーの終端側に配置され、光ファイバーから入力された光信号（放送信号）を電気信号に復調して出力する光受信装置１において、電気信号を出力する第１の出力端子５のほかに、出力レベルが、第１の出力端子５よりも低く設定された第２の出力端子６を備えていることを特徴とする。【選択図】図１
0003134762.tif 000002
【実用新案登録請求の範囲】
【請求項１】
光ファイバーの終端側に配置され、光ファイバーから入力された光信号を電気信号に復調して出力する光受信装置であって、
電気信号を出力する第１の出力端子のほかに、出力レベルが、当該第１の出力端子よりも低く設定された第２の出力端子を有しており、
それらの出力レベルの差が１５ｄＢ以上であることを特徴とする光受信装置。
【請求項２】
前記第２の出力端子が、前記第１の出力端子の経路から分岐出力されていることを特徴とする、請求項１に記載の光受信装置。
【考案の詳細な説明】
【技術分野】
【０００１】
本考案は、ＦＴＴＨ（Ｆｉｂｅｒ  Ｔｏ  Ｔｈｅ  Ｈｏｍｅ）型ケーブルテレビシステムにおいて使用される放送サービス用光受信装置（光終端装置、Ｖ−ＯＮＵ）に関する。
【背景技術】
【０００２】
ＦＴＴＨ型のケーブルテレビシステムにおいては、ヘッドエンドと加入者の設備（住宅等）とが光ファイバーによって接続され、この光ファイバーの始端側（ヘッドエンド側）には光送信装置が、終端側（加入者側）には光受信装置がそれぞれ配置される。光送信装置は、電気信号である放送信号を光信号に変調して光ファイバーへ出力し、光受信装置は、光ファイバーから入力された光信号を電気信号に復調してへ出力する。このシステムでは、１軒の個別住戸に対して、１台の光受信装置が設置される。
【０００３】
光受信装置には、通常、ＦＴＴＨ型システムの各加入者への光損失のばらつきを吸収するために、光入力レベルに対して自動利得調整機能が装備されている。従って、光受信装置の出力レベルは、入力光レベル範囲内では一定である。
【０００４】
また、光受信装置は、屋外に設置されることが多いが、屋外で電源を確保できない場合等を想定して、通常、出力用の同軸ケーブル及び電源送入器を介して電源電力を供給できるように構成されている。
【０００５】
尚、１軒の住戸内に多数のＴＶ受像機及びＴＶ端子が設置されている場合、各ＴＶ端子に対し充分なレベルで放送信号を分配できるように、光受信装置は、できるだけ高いレベルで放送信号を出力できるように構成されている必要がある。但し、１台のＴＶ受像機だけに接続される場合もあり、この場合、光受信装置の出力が高いと、ＴＶ受像機の入力レベルを超えてしまう場合がある。このため、一般的な光受信装置には、減衰器を選択できるスイッチが装備されており、接続されるＴＶ受像機が１台（或いは、少数）である場合には、適宜減衰器を作動させて出力レベルを下げ、ＴＶ受像機の入力レベル内に収まるよう、利得を調整できるようになっている。
【考案の開示】
【考案が解決しようとする課題】
【０００６】
しかしながら、減衰器を配置すると装置が複雑化するほか、スイッチを操作して減衰器のＯＮ／ＯＦＦ切り換え作業を行わなければならないとすると、手間がかかり、また、誤操作を回避するための手段を別途講じる必要がある。
【０００７】
本考案は、このような従来技術における問題を解決すべくなされたものであって、出力レベルの異なる複数の出力端子を状況に応じて適宜使い分けることにより、減衰器を使用することなく好適に対応することができる光受信装置を提供することを目的とする。
【課題を解決するための手段】
【０００８】
本考案の光受信装置は、光ファイバーの終端側に配置され、光ファイバーから入力された光信号（放送信号）を電気信号に復調して出力する光受信装置であって、電気信号を出力する第１の出力端子のほかに、出力レベルが、当該第１の出力端子よりも低く設定された第２の出力端子を有しており、それらの出力レベルの差が１５ｄＢ以上であることを特徴としている。尚、第２の出力端子は、第１の出力端子の経路から分岐出力されることが好ましい。
【考案の効果】
【０００９】
本考案の光受信装置は、出力レベルが異なる少なくとも２種類の出力端子を有しているため、多数のＴＶ受像機が接続され、高い出力レベルが要求される場合には、第１の出力端子を使用し、接続されるＴＶ受像機が１台（或いは、少数）である場合には、第１の出力端子よりも出力レベルが低い第２の出力端子を使用する、というように、状況に応じて適宜使い分けることができ、減衰器を使用することなく対応することができる。また、いずれか一方の出力端子については、常時接続せずに、モニタ端子として使用することもできる。
【００１０】
第２の出力端子を分岐出力として構成した場合において、第１の出力端子を常時接続した場合には、空き端子となる第２の出力端子について、ダミー抵抗を接続する必要はなく、これを省略することができる。
【考案を実施するための最良の形態】
【００１１】
以下、添付図面に沿って、本考案を実施するための最良の形態について説明する。図１は、本考案の第１の実施形態に係る光受信装置１の構成図である。この図において、２は増幅部であり、３はスイッチング電源である。増幅部２には、光信号が入力される入力端子４と、光信号から復調された電気信号が出力される第１の出力端子５、及び、第２の出力端子６が備えられている。
【００１２】
第２の出力端子６は、第１の出力端子５の経路から分岐出力されるように構成されており、かつ、出力レベルが、第１の出力端子よりも２０ｄＢ低く設定されている。
【００１３】
この光受信装置１は、スイッチング電源３が増幅部２から分離できるように構成されており、増幅部２から離間した位置に設置したスイッチング電源３から、第１の出力端子５に接続される電気信号出力用の同軸ケーブルを介して電源電力を供給できるように構成されている。また、第２の出力端子６に接続される電気信号出力用の同軸ケーブルからも、第１の出力端子５に接続される同軸ケーブルと同様に、電源電力を供給することができる。
【００１４】
本考案の光受信装置１は、上述の通り、出力レベルが異なる少なくとも２種類の出力端子を有しており、多数のＴＶ受像機が接続され、高い出力レベルが要求される場合には、出力用の同軸ケーブルを第１の出力端子５に接続して使用する。この場合、空き端子となる第２の出力端子６は、モニタ端子として使用することができる。
【００１５】
一方、接続されるＴＶ受像機が１台（或いは、少数）である場合には、第１の出力端子５よりも出力レベルが低い第２の出力端子６に、出力用の同軸ケーブルを接続する。これにより、適正なレベルにて放送信号をＴＶ受像機へ供給することができる。尚、この場合、空き端子となる第１の出力端子５は、モニタ端子として使用することができる。
【図面の簡単な説明】
【００１６】
【図１】本考案の第１の実施形態に係る光受信装置１の構成図。
【符号の説明】
【００１７】
１：光受信装置、
２：増幅部、
３：スイッチング電源、
４：入力端子、
５：第１の出力端子、
６：第２の出力端子
【図１】
0003134762.tif 000003
(57)【要約】【課題】雨に濡れた傘を収納して建物内に携行する袋で、携帯している人が気付かないうちに傘から抜け落ちて床に散乱して床を汚すことのない濡れた傘の収納袋を提供することである。【解決手段】本考案の濡れた傘の収納袋は、挿入した傘を一体に結束して留めるために、挿入した傘の巻きベルトを引き出すための縁部に達しない孔を形成して構成される。【選択図】図１
0003134720.tif 000002
【実用新案登録請求の範囲】
【請求項１】
傘を収納する袋に、該袋から該傘の巻きバンドを引き出す縁部に達しない孔を形成したことを特徴とする傘の収納袋。
【考案の詳細な説明】
【技術分野】
【０００１】
本考案は、建造物内に雨に濡れた傘を持ち込み携行して傘に付着した水滴が飛散、落下し周辺や床を汚す事を防止するための傘の収納袋に関するものである。
【背景技術】
【０００２】
雨降りには、不特定多数の人が出入りする建造物の入り口に、入館者が濡れた傘を携行して館内を汚すことを防ぐために、前記の傘を入れる使いきりの樹脂フィルムの傘袋が実用に供されている。
【０００３】
雨に濡れた傘は前記の樹脂フィルム製の袋に挿入すると該袋の内側に貼り付いている。しかし、傘の収納が不完全であったり完全に収納しても傘に付着している水分が多いと該袋の底に垂れ落ち溜まった雨水の重さで、または該収納袋が外周との摩擦により携帯している人が気付かないうちに傘から抜け落ちて床に散乱してしまうという欠点があり濡れた傘を樹脂フィルム製の袋に入れるのみでは実用上不十分であった。
【０００４】
特許文献１の濡れ傘携行用傘袋は、上部内側にリングを装着し、口元にかけ一側を切り開いた開口部の縁に設けた紐通しに閉じ紐を装着したものであるため、リングと閉じ紐を必要とするものである。
【０００５】
【特許文献１】特開平１１−３１８５３０
【考案の開示】
【考案が解決しようとする課題】
【０００６】
雨に濡れた傘を収納して建物内に携行する際に、携帯している人が気付かないうちに傘から抜け落ちて床に散乱して床を汚すことのない濡れた傘の収納袋を低コストで提供することである。
【課題を解決するための手段】
【０００７】
本考案の傘の収納袋は、収納袋と挿入した傘を一体に結束して留めるために、挿入した傘の巻きベルトを引き出すための縁部に達しない孔を形成して構成される。
【考案の効果】
【０００８】
本考案の傘の収納袋によれば、該袋と挿入した傘を該収納袋に形成された縁部に達しない孔から該傘の巻きベルトを引き出して該傘と該収納袋を一体に結束して留めるので、強制的に前記巻きベルトを外さない限り該袋は該傘から抜け落ちない。また、構造は簡単で、一般に用いられている樹脂フィルム製の収納袋に傘の巻きベルトを引き出すための孔を形成する簡単な工程により低コストで製造できるという利点がある。  さらに、本考案の傘の収納袋は、収納した傘を袋と一体に結束して留めて扱うことができるので、折りたたみ傘にもサイズに合わせて該袋を折り曲げ体裁よく用いられ、また乾いた傘の保管時に埃除けとして用いる事もできる。
【考案を実施するための最良の形態】
【０００９】
樹脂フィルム製の傘の収納袋１に、挿入した濡れた傘３の巻きベルト５を引き出すための縁部に達しない切れ目や楕円孔などからなる孔２〜２”を３カ所形成し、前記の収納袋１に収納した傘の巻きベルト５をこの孔から引き出して袋１に巻き付けて固定し、該袋１と該傘３を一体に結束して留めて袋が傘から抜け落ちないようにする。収納袋１は一般に用いられている樹脂フィルム製の収納袋に傘の巻きベルト５を引き出すための縁部に達しない孔２〜２”を形成する簡単な作業で実現する。
【００１０】
図１は、傘の収納袋１の開口部４より挿入した傘３の巻きベルト５の位置に相当する辺りに、異なるサイズの傘に対応するために複数個の挿入した傘の巻きベルト５を引き出す縁部に達しない孔２〜２”を段差をつけて形成したものである。
【００１１】
図２は、濡れた傘３を収納袋１に挿入して傘の巻きベルト５を孔２〜２”から引き出し、収納袋１と濡れた傘３を一体に結束した使用状態を示すものである。
【００１２】
図３は、異なるサイズの傘に対応する収納袋１の使用例として、挿入した折りたたみ傘３−ｂと適宜折り曲げた収納袋１を一体に結束した使用状態を示すものである。
【図面の簡単な説明】
【００１３】
【図１】本考案の収納袋の正面図である。
【図２】傘を袋に収納した状態を示した正面図である。
【図３】折り畳み傘を袋に収納した状態を示した正面図である。
【符号の説明】
【００１４】
１      傘の収納袋
２〜２”傘の巻きベルトを引き出す孔
３      濡れた傘
３−ｂ 濡れた折りたたみ傘
４      傘の袋の開口部
５      傘の巻きベルト
【図１】
0003134720.tif 000003
【図２】
0003134720.tif 000004
【図３】
0003134720.tif 000005